(57)【特許請求の範囲】
【請求項１】
ＩＣカードを挿抜可能に支持するフレームと、このフレームに往復動可能に保持されたプッシュロッドと、挿着状態のＩＣカードのソケットコンタクトに接続される多数本のピンコンタクトとを有し、前記プッシュロッドを押し込むことで挿着状態のＩＣカードが排出可能なコネクタ装置において、
前記フレームに対し固定関係にあるハート型カム溝と、前記プッシュロッドの往復動に伴って、一端部が前記ハート型カム溝に沿って移動可能となるように、他端部を前記プッシュロッドに回動可能に支承した伝達ピンと、この伝達ピンの他端部と前記フレームとの間に介設されて該伝達ピンを前記ハート型カム溝に向けて弾性付勢するとともに、前記伝達ピンを介して前記プッシュロッドをＩＣカード排出方向へ弾性付勢するばね部材と、移動可能に保持されて所定位置で前記伝達ピンに当接可能な駆動体と、この駆動体に連動するイジェクトアームとを備え、
前記伝達ピンを前記ハート型カム溝の２か所に係止させることにより、前記プッシュロッドを所定の進入位置とそこから所定量突出する突出位置とにロック可能となし、且つ、ＩＣカードが挿着されている状態で、前記進入位置にある前記プッシュロッドに対する第１のプッシュ動作により前記伝達ピンが前記ハート型カム溝にガイドされて該プッシュロッドが前記突出位置へと後退するとともに、この突出位置にある前記プッシュロッドに対する第２のプッシュ動作により前記伝達ピンが前記駆動体を駆動し前記イジェクトアームを介してＩＣカードが排出されるように構成したことを特徴とするコネクタ装置。
【請求項２】
前記駆動体をガイドするための長溝を前記ハート型カム溝に連続させて設け、ＩＣカードを挿入する過程で前記イジェクトアームが前記駆動体を駆動して、この駆動体の一部が、前記プッシュロッドが前記突出位置から前記進入位置へと移動する際の前記ハート型カム溝内における前記伝達ピンの移動領域に進出するように構成したことを特徴とする請求項１記載のコネクタ装置。
【請求項３】
挿抜されるＩＣカードをガイドするためのガイド部を前記フレームの内側面に設けるとともに、前記ハート型カム溝を前記フレームの外側面に設けたことを特徴とする請求項１または２記載のコネクタ装置。
【請求項４】
挿抜される複数のＩＣカードを個別にガイドするための複数のガイド部を前記フレームの内側面に設け、且つ、挿着状態の複数のＩＣカードを個別に排出するための複数の前記プッシュロッドを前記フレームの外側に配置させたことを特徴とする請求項１，２または３記載のコネクタ装置。
【発明の詳細な説明】
【０００１】
【発明の属する技術分野】
本発明は、ＩＣカードを挿抜して使用される機器に装備されるコネクタ装置に係り、特に、挿着状態にあるＩＣカードを排出させるためのイジェクト機構に関する。
【０００２】
【従来の技術】
ＩＣカード用コネクタ装置は通常、ＩＣカード内のソケットコンタクトに接続させるための多数本のピンコンタクトをピンハウジングに配設してなるピンヘッダ部や、挿抜時のＩＣカードをガイドするフレームや、挿着状態のＩＣカードをピンコンタクトから離脱させるためのイジェクト機構部等を備えて概略構成されており、ピンハウジングとフレームを一体成形品としたものも知られている。
【０００３】
従来より、前記イジェクト機構部を、フレームによりＩＣカード挿抜方向に沿って往復動可能に保持されたプッシュロッドと、フレームもしくはピンハウジングに回動自在に支承されたイジェクトレバーとで構成し、該イジェクトレバーの一端部をプッシュロッドに係合させたものが広く採用されている。このようなイジェクト機構部を備えたコネクタ装置にあっては、ＩＣカードの挿着状態でプッシュロッドを押し込むと、このプッシュロッドに連動して回転するイジェクトレバーの爪部がＩＣカードを手前へ押圧することにより、ＩＣカードを手指で簡単に抜き取ることができるが、ＩＣカードの挿着状態においてプッシュロッドが手前側に突出しているため、このプッシュロッドが誤操作されたり衝撃を受けるなどしてＩＣカードが予期せずイジェクトされてしまう危険性があり、その場合、ＩＣカードの接続が遮断されて作動データ消失等のトラブルが発生する。
【０００４】
これに対し、実開平６−１３０７２号公報に開示されたコネクタ装置は、プッシュロッドとスライドプレート間をリンク結合する第１および第２の伝達レバーと、第１の伝達レバーに軸支されて第２の伝達レバーと係脱可能な第３の伝達レバーと、プッシュロッドを所定の進入位置と突出位置の２位置にロック可能なハート型カム機構とを備えており、プッシュロッドの突出量に応じて該プッシュロッドの押し込み力がスライドプレートへ選択的に伝達されるように構成されている。すなわち、ＩＣカードの挿着状態において、第３の伝達レバーは第２の伝達レバーと係合しておらず、プッシュロッドは所定量押し込まれた進入位置にあるが、プッシュロッドをハート型カム機構によって突出位置まで突出させた後、さらに手前に引くと、その位置で第３の伝達レバーが第２の伝達レバーに係合するため、この状態でプッシュロッドを進入位置へ向けて押し込むと、その押し込み力が各伝達レバーを介してスライドプレートに伝達され、このスライドプレートがＩＣカードを手前側に押圧して排出できるようになっている。したがって、ＩＣカードの接続中はプッシュロッドを手前側に突出していない進入位置にロックし、ＩＣカードの排出時のみプッシュロッドを手前側に突出させることにより、該プッシュロッドの誤操作等に起因するＩＣカードの接続遮断事故を防止することができる。
【０００５】
【発明が解決しようとする課題】
このように、上記公報に開示されたコネクタ装置によれば、ＩＣカードの接続中はプッシュロッドを所定の進入位置にロックできるため、プッシュロッドが誤操作されたり衝撃を受ける危険性が激減してＩＣカードの接続遮断事故を防止することはできるが、リンク結合された３つの伝達レバーの姿勢に応じてプッシュロッドに対する押し込み力をスライドプレートへ選択的に伝達するようになっているため、かかる伝達機構が非常に複雑になり、組立作業性も低下するという問題がある。
【０００６】
【課題を解決するための手段】
本発明は、プッシュロッドに取り付けた伝達ピンが固定側のハート型カム溝に沿って移動するようになして、このプッシュロッドが所定の進入位置と突出位置とにそれぞれロックできるようにするとともに、前記進入位置でロック解除して前記突出位置へ後退させたプッシュロッドを該進入位置へ押し込む過程で、前記伝達ピンが駆動体を駆動しイジェクトアームを介してＩＣカードを排出することとする。このようにハート型カム溝に対する伝達ピンのトレース位置に応じて、プッシュロッドを所定位置にロックしたり駆動体を所定の操作時のみ駆動できるようにしてあると、ＩＣカードの接続遮断事故が防止できるとともに、プッシュロッドとイジェクトアーム間の押圧力伝達機構を簡略化することができて組立作業性も向上する。
【０００７】
【発明の実施の形態】
本発明では、ＩＣカードを挿抜可能に支持するフレームと、このフレームに往復動可能に保持されたプッシュロッドと、挿着状態のＩＣカードのソケットコンタクトに接続される多数本のピンコンタクトとを有し、前記プッシュロッドを押し込むことで挿着状態のＩＣカードが排出可能なコネクタ装置において、前記フレームに対し固定関係にあるハート型カム溝と、前記プッシュロッドの往復動に伴って、一端部が前記ハート型カム溝に沿って移動可能となるように、他端部を前記プッシュロッドに回動可能に支承した伝達ピンと、この伝達ピンの他端部と前記フレームとの間に介設されて該伝達ピンを前記ハート型カム溝に向けて弾性付勢するとともに、前記伝達ピンを介して前記プッシュロッドをＩＣカード排出方向へ弾性付勢するばね部材と、移動可能に保持されて所定位置で前記伝達ピンに当接可能な駆動体と、この駆動体に連動するイジェクトアームとを備え、前記伝達ピンを前記ハート型カム溝の２か所に係止させることにより、前記プッシュロッドを所定の進入位置とそこから所定量突出する突出位置とにロック可能となし、且つ、ＩＣカードが挿着されている状態で、前記進入位置にある前記プッシュロッドに対する第１のプッシュ動作により前記伝達ピンが前記ハート型カム溝にガイドされて該プッシュロッドが前記突出位置へと後退するとともに、この突出位置にある前記プッシュロッドに対する第２のプッシュ動作により前記伝達ピンが前記駆動体を駆動し前記イジェクトアームを介してＩＣカードが排出されるようにした。
【０００８】
このように構成すると、第１のプッシュ動作で手前側へ突出させたプッシュロッドを第２のプッシュ動作で進入位置へ押し込んだ場合に限ってＩＣカードが排出可能となるイジェクト機構が得られるので、ＩＣカードの接続遮断事故を未然に防止することができる。しかも、第２のプッシュ動作時のみイジェクトアームにＩＣカード排出動作を行わせるために、ハート型カム溝内をトレースする伝達ピンの動きを利用していることから、プッシュロッドとイジェクトアーム間の押圧力伝達機構を簡略化することができる。また、伝達ピンはハート型カム溝に対し弾性付勢させておくことで前記トレースを確実なものとすることができるが、プッシュロッドもＩＣカード排出方向へ弾性付勢しておく必要があるので、該伝達ピンと該プッシュロッドを共通のばね部材で弾性付勢する構成にしておくことにより、部品点数が削減でき、組立作業性も大幅に向上する。
【０００９】
なお、ＩＣカードを排出する際に、イジェクトアームで直接ＩＣカードの一端部を押圧するようにしても良いが、イジェクトアームに連結した他部材を介してＩＣカードの両端部を押圧するように構成すると、ＩＣカードを排出方向へまっすぐに押圧することができて好適である。
【００１０】
また、上記構成において、前記駆動体をガイドするための長溝を前記ハート型カム溝に連続させて設け、ＩＣカードを挿入する過程で前記イジェクトアームが前記駆動体を駆動して、この駆動体の一部が、前記プッシュロッドが前記突出位置から前記進入位置へと移動する際の前記ハート型カム溝内における前記伝達ピンの移動領域に進出するようにしておけば、伝達ピンと駆動体とを確実に当接させることができる。
【００１１】
また、上記構成において、挿抜されるＩＣカードをガイドするためのガイド部を前記フレームの内側面に設けるとともに、前記ハート型カム溝を前記フレームの外側面に設ければ、コネクタ装置の小型化が促進できる。
【００１２】
また、上記構成において、挿抜される複数のＩＣカードを個別にガイドするための複数のガイド部を前記フレームの内側面に設け、且つ、挿着状態の複数のＩＣカードを個別に排出するための複数の前記プッシュロッドを前記フレームの外側に配置させれば、複数枚のＩＣカードが独立に挿抜できるコネクタ装置が実現できる。
【００１３】
【実施例】
実施例について図面を参照して説明すると、図１は実施例に係るコネクタ装置にＩＣカードが挿着された状態を示す平面図、図２は該コネクタ装置からＩＣカードを離脱させた直後の状態を示す平面図、図３はイジェクト機構の平面図、図４は該イジェクト機構の分解斜視図、図５はハート型カム溝の説明図、図６は該ハート型カム溝のカム面を示す展開図、図７はイジェクト機構の動作説明図である。
【００１４】
図１と図２に示すように、実施例に係るＩＣカード用コネクタ装置は、ＩＣカード１内のソケットコンタクトに接続させるための多数本のピンコンタクト（いずれも図示せず）を所定の配列で圧入固定してなるピンハウジング２と、このピンハウジング２の左右両側に固定され、挿抜時のＩＣカード１を幅方向両側からガイド溝３ａにてガイドする一対のフレーム３と、一方のフレーム３に取着されたプッシュロッド４と、ピンハウジング２に軸支されたイジェクトアーム５、第１の回動アーム６および第２の回動アーム７と、プッシュロッド４とイジェクトアーム５間に介設されたイジェクト機構等によって主に構成されている。
【００１５】
前記ピンハウジング２には所定の間隔を存して第１の支軸８と第２の支軸９が設けられており、第１の支軸８にイジェクトアーム５の一端が回動自在に支承されている。このイジェクトアーム５には連結孔５ａと係合部５ｂが形成されており、係合部５ｂはフレーム３の側方へ突出している。第１の回動アーム６も第１の支軸８に回動自在に支承されており、この回動アーム６には、ＩＣカード１を押し出すための爪片６ａと、イジェクトアーム５の連結孔５ａ内に突出する舌片６ｂとが形成されている。一方、第２の回動アーム７は第２の支軸９に回動自在に支承されており、この回動アーム７には、ＩＣカード１を押し出すための爪片７ａと、イジェクトアーム５の連結孔５ａ内に突出する舌片７ｂとが形成されている。
【００１６】
前記イジェクト機構の構成を図３〜図６に基づいて詳述すると、実施例に示すコネクタ装置は、両フレーム３の内側面に形成された上下２段のガイド溝３ａに沿って２枚のＩＣカード１が挿着可能で、これら両ＩＣカード１を排出する２本のプッシュロッド４を具備しているが、両プッシュロッド４の機能や構成は基本的に同じであるため、以下、一方のプッシュロッド４とそのイジェクト機構について説明する（図４も一方のみを図示している）。
【００１７】
前記プッシュロッド４は手前側の端部に摘み（操作部）４ａを有し、フレーム３の外側面に設けられて該摘み４ａと係合する突部３ｂ等により、このプッシュロッド４はＩＣカード１の挿抜方向に沿って往復移動できるように保持されている。このプッシュロッド４は、後述する伝達ピン１２とフレーム３との間に介設されたコイルばね１０の分力Ｐ（図３参照）によってＩＣカード１の排出方向へ常時弾性付勢されているが、プッシュロッド４に形成されているストッパ片４ｂが、フレーム３に固定されている取付金具１１に当接した時点で同方向への移動が規制されるようになっているので、プッシュロッド４は図３に示す所定の突出位置よりも突出することはない。また、先端部にＬ字状の作動部１２ａを有する伝達ピン１２の他端部が、プッシュロッド４の孔４ｃに回動可能に支承されているとともに、コイルばね１０に係止されてフレーム３側へ引っ張られている。すなわち、このコイルばね１０は、図３に示すように伝達ピン１２とフレーム３間に伸長状態で介設されていて、その引っ張り力の分力Ｑにより、伝達ピン１２はフレーム３の外側面に向けて常時弾性付勢されている。
【００１８】
前記フレーム３の外側面にはハート型カム溝１４が刻設されており、前記伝達ピン１２の作動部１２ａはこのカム溝１４と係合している。図５、６に示すように、このカム溝１４は高さの異なる複数のカム面Ａ〜Ｅを有し、伝達ピン１２の作動部１２ａはこれらカム面Ａ〜Ｅ上を図５の矢印方向に沿ってトレースする。ただし、伝達ピン１２はコイルばね１０の引っ張り力（分力Ｑ）によりフレーム３側へ常時引っ張られているので、作動部１２ａは各カム面Ａ〜Ｅに対し弾接した状態で移動する。それゆえ、作動部１２ａはカム溝１４から脱落することなく円滑に移動できて、確実なトレースが行えるようになっている。また、フレーム３の外側には駆動板１５がＩＣカード１の挿抜方向に沿って往復移動できるように保持されており、この駆動板１５に折曲形成された受部１５ａはフレーム３の外側面に刻設された長溝３ｃに挿入されている。この長溝３ｃとカム溝１４のカム面Ｄとは直線的に連続しており、駆動板１５の受部１５ａはこれら長溝３ｃとカム面Ｄとの間を往復移動する。さらに、駆動板１５には係合孔１５ｂが穿設されており、この係合孔１５ｂと前記イジェクトアーム５の係合部５ｂとがフレーム３の外側で係合している。
【００１９】
このように構成されたコネクタ装置において、ＩＣカード１が挿着されていない場合、プッシュロッド４は前記突出位置よりもフレーム３側へ進入した所定位置（進入位置）に保持されている。この時、図７の（ａ）に示すように、伝達ピン１２の作動部１２ａはカム溝１４のカム面Ｂ上で係止されており、プッシュロッド４はコイルばね１０の引っ張り力（分力Ｐ）とカム溝１４に係止される伝達ピン１２とによって該進入位置に安定的に保持される。
【００２０】
そして、ＩＣカード１をフレーム３のガイド溝３ａに沿って挿入していくと、ピンハウジング２へ向かうＩＣカード１が第１および第２の回動アーム６，７の爪片６ａ，７ａを押し込みながら、自身のソケットコンタクトにピンハウジング２のピンコンタクトを圧入させていくので、ＩＣカード１を所定量挿入することにより、該ＩＣカード１が各ピンコンタクトと確実に接続する挿着完了状態となる。その際、第１の回動アーム６と第２の回動アーム７はそれぞれ第１の支軸８と第２の支軸９を回転軸として互いに逆向きに回転し、これら両回動アーム６，７の回転が舌片６ｂ，７ｂと連結孔５ａの連結部分を介してイジェクトアーム５へ伝達されるので、イジェクトアーム５は第１の支軸８を回転軸として回転し、それに連動して駆動板１５がフレーム３に沿って手前へ移動する。これにより、図７の（ｂ）に示すように、駆動板１５の受部１５ａは長溝３ｃからカム溝１４のカム面Ｄへと移動するが、このとき伝達ピン１２の作動部１２ａはカム面Ｂ上で係止されているため、受部１５ａはカム溝１４内へ進出しても作動部１２ａには当接しない。すなわち、ＩＣカード１の接続中、受部１５ａは作動部１２ａの移動領域へ進出しているが、該作動部１２ａは受部１５ａと干渉しない位置で係止状態に保たれているので、プッシュロッド４は前記進入位置に保持されたままの状態に維持される。
【００２１】
かかる挿着状態のＩＣカード１をコネクタ装置から排出させる場合は、まず、前記進入位置に保持されているプッシュロッド４を前方へ押し込んでロック解除して、コイルばね１０の引っ張り力でプッシュロッド４を手前側へ後退させることにより、摘み４ａを前記突出位置まで突出させた図１，３の状態にする。つまり、進入位置にロックされているプッシュロッド４をさらに進入方向（ＩＣカード挿入方向）へ若干量押し込むと、図７の（ｃ）に示すように、伝達ピン１２の作動部１２ａはカム溝１４のカム面Ｂからカム面Ａへ移行し、コイルばね１０の引っ張り力（分力Ｐ）により該カム面Ａからカム面Ｅを経てカム面Ｄへと移行するため、図７の（ｄ）に示すように、プッシュロッド４は突出方向（ＩＣカード排出方向）へ移動して前記突出位置まで突出する。この時も、伝達ピン１２の作動部１２ａは駆動板１５の受部１５ａと当接せず、したがってプッシュロッド４が突出位置に移動すると、作動部１２ａはカム面Ｄ内で受部１５ａと対峙することになる。
【００２２】
このようにプッシュロッド４を突出位置まで突出させた後、プッシュロッド４の摘み４ａを進入方向へ押し込むと、図７の（ｅ）に示すように伝達ピン１２の作動部１２ａがカム溝１４のカム面Ｄからカム面Ｃを経てカム面Ｂへと移行し、図７の（ａ）に示すように該カム面Ｂ上で係止されるので、プッシュロッド４は再び進入位置に保持されることになるが、その過程で、プッシュロッド４が駆動板１５を駆動してイジェクトアーム５によるＩＣカード１の排出動作が行われる。すなわち、伝達ピン１２の作動部１２ａがカム面Ｄからカム面Ｃへ移行する過程で、作動部１２ａが駆動板１５の受部１５ａに当接してこれを押圧するため、駆動板１５に係合されているイジェクトアーム５が回転し、この回転に伴って第１および第２の回動アーム６，７の爪片６ａ，７ａがＩＣカード１の前面両端部を離脱方向へほぼまっすぐに押圧し、図２の２点鎖線で示すように、ＩＣカード１のソケットコンタクトとピンハウジング２のピンコンタクトの圧入が解除される。したがって、この状態でＩＣカード１の手前側を手指でつまんで引き抜くことにより、該ＩＣカード１をコネクタ装置から簡単に排出させることができる。
【００２３】
このように本実施例においては、第１のプッシュ動作で手前側へ突出させたプッシュロッド４を第２のプッシュ動作で進入位置へ押し込んだ場合に限ってＩＣカード１が排出できるように構成されているので、プッシュロッド４に対する誤操作や衝撃等に起因するＩＣカード１の接続遮断事故を未然に防止することができる。しかも、第２のプッシュ動作時のみイジェクトアーム５にＩＣカード排出動作を行わせるために、ハート型カム溝１４内をトレースする伝達ピン１２の動きを利用していることから、プッシュロッド４とイジェクトアーム５間の押圧力伝達機構が簡略な構成となっていて、組立作業に支障をきたす心配がない。さらに本実施例では、１個のコイルばね１０の２方向の分力Ｐ，Ｑでプッシュロッド４と伝達ピン１２をそれぞれ弾性付勢する構成にしてあるので、部品点数が削減できて組立作業性も良好である。
【００２４】
なお、構成を一層簡略化するために、イジェクトアーム５で直接ＩＣカード１を押圧して排出させるようにしてもよいが、本実施例のように第１および第２の回動アーム６，７を介してＩＣカード１の前面両端部を押圧する構成にしたほうが、ＩＣカード１を排出方向へまっすぐに押圧することができるので、排出動作が常に円滑に行えて好適である。
【００２５】
また、本実施例においては、フレーム３に設けた長溝３ｃとハート型カム溝１４とが連続させてあり、ＩＣカード１を挿入する過程でイジェクトアーム５が駆動板１５を駆動して受部１５ａがカム面Ｄに進出するようにしてあるので、伝達ピン１２の作動部１２ａと駆動板１５の受部１５ａとを確実に当接させることができて信頼性が確保されている。
【００２６】
また、本実施例においては、内側面にＩＣカード挿抜用のガイド溝３ａが設けられているフレーム３の外側面にハート型カム溝１４を設けているので、装置の小型化や部品点数削減に有利な構成となっている。
【００２７】
なお、上記実施例では２枚のＩＣカードが挿着可能なコネクタ装置を例示して説明したが、本発明は１枚または３枚以上のＩＣカードが挿着可能なコネクタ装置にも同様に適用することができる。
【００２８】
【発明の効果】
本発明は、以上説明したような形態で実施され、以下に記載されるような効果を奏する。
【００２９】
プッシュロッドに他端部を回動可能に支承した伝達ピンの一端部が、プッシュロッドの往復動に伴って、固定側のハート型カム溝に沿って移動するようになして、このプッシュロッドが所定の進入位置と突出位置とにそれぞれロックできるようにするとともに、前記進入位置でロック解除して前記突出位置へ後退させたプッシュロッドを該進入位置へ押し込む過程で、前記伝達ピンが駆動体を駆動しイジェクトアームを介してＩＣカードを排出するように構成したので、伝達ピンがハート型カム溝に沿って移動するときに、ばね部材による付勢でハート型カム溝に沿って移動することを妨げることがなく、プッシュロッドに対する誤操作や衝撃等に起因するＩＣカードの接続遮断事故が防止できるとともに、プッシュロッドとイジェクトアーム間の押圧力伝達機構を簡略化することができる。しかも、前記伝達ピンとプッシュロッドを共通のばね部材で弾性付勢する構成にしたので、部品点数が削減でき、組立作業性も大幅に向上する。
【００３０】
また、前記駆動体をガイドするための長溝を前記ハート型カム溝に連続させて設け、ＩＣカードを挿入する過程で前記イジェクトアームが前記駆動体を駆動して、この駆動体の一部が、前記プッシュロッドが前記突出位置から前記進入位置へと移動する際の前記ハート型カム溝内における前記伝達ピンの移動領域に進出するようにしておけば、伝達ピンと駆動体とを確実に当接させることができる。
【００３１】
また、ＩＣカードをガイドするためのガイド部を前記フレームの内側面に設けるとともに、前記ハート型カム溝を前記フレームの外側面に設ければ、コネクタ装置の小型化が促進できる。
【図面の簡単な説明】
【図１】本発明の一実施例に係るコネクタ装置にＩＣカードが挿着された状態を示す平面図である。
【図２】該コネクタ装置からＩＣカードを離脱させた直後の状態を示す平面図である。
【図３】該コネクタ装置に備えられるイジェクト機構の平面図である。
【図４】該イジェクト機構の分解斜視図である。
【図５】ハート型カム溝の説明図である。
【図６】該ハート型カム溝のカム面を示す展開図である。
【図７】図３，４に示すイジェクト機構の動作説明図である。
【符号の説明】
１  ＩＣカード
２  ピンハウジング
３  フレーム
３ａ  ガイド溝（ガイド部）
３ｃ  長溝
４  プッシュロッド
５  イジェクトアーム
５ｂ  係合部
６  第１の回動アーム
７  第２の回動アーム
１０  コイルばね（ばね部材）
１２  伝達ピン
１２ａ  作動部
１４  ハート型カム溝
１５  駆動板（駆動体）
１５ａ  受部
１５ｂ  係合孔
【図１】
0003673395.tif 000002
【図２】
0003673395.tif 000003
【図３】
0003673395.tif 000004
【図４】
0003673395.tif 000005
【図５】
0003673395.tif 000006
【図６】
0003673395.tif 000007
【図７】
0003673395.tif 000008